(57)【要約】【課題】冷温水器の水槽内に収容された水素水が外気によって汚染することを防止する機能が備えられた、空気流入及び水素ガス自動排出制御が可能な水素水冷温水器を提供する。【解決手段】水素水が満たされた冷温水器の水槽で発生するガスを排出し或いは外部の空気を流入させるガス出入り制御装置１０において、水槽水を外部の汚染から保護する水槽カバー１００と、水槽カバーの一部分に設置され、水槽内の圧力を所定の圧力に維持するために水槽の内部に外気を流入させる空気流入部材２００と、空気流入部材に対応して製作され、水槽カバーの一部分に設置され、水槽内に所定の濃度以上の水素ガスが発生した場合に水素ガスを水槽の外部に排出する水素ガス排出部材３００とを含み、空気流入部材及び水素ガス排出部材は、水槽に外気を流入させるか或いは水槽内の水素ガスを外部に排出するために、水槽内の水素ガスの圧力によって開閉が制御される。【選択図】図１
2020500785.tif 000002
【特許請求の範囲】
【請求項１】
水素水が満たされた冷温水器の水槽で発生するガスを排出し或いは外部の空気を流入させるガス出入り制御装置において、
前記水槽の上部を覆いながら、水槽に収容される水槽水を外部の汚染から保護する水槽カバーと、
前記水槽カバーの一部分に設置され、前記水槽内の圧力を所定の圧力に維持するために前記水槽の内部に外気を流入させる空気流入部材と、
前記空気流入部材に対応して製作され、前記水槽カバーの一部分に設置され、前記水槽内に所定の濃度以上の水素ガスが発生した場合に水素ガスを前記水槽の外部に排出する水素ガス排出部材とを含み、
前記空気流入部材及び前記水素ガス排出部材は、
前記水槽に外気を流入させるか或いは前記水槽内の水素ガスを外部に排出するために、前記水槽内の水素ガスの圧力によって開閉が制御されることを特徴とする、空気流入及び水素ガス自動排出制御が可能な水素水冷温水器。
【請求項２】
前記空気流入部材は、
前記水槽カバーの一部分に設けられ、前記水槽の内部に外気が流入する通路を提供する空気流入口と、
前記水槽内への外気の流入を調節するために前記水槽内のガス圧による上下移動によって前記空気流入口の開閉を制御するように前記空気流入口を介して結合される第１制御ロッドと、
前記空気流入口の上部を取り囲みながら分離可能に結合される管体状の第１連結ジョイントと、
前記第１連結ジョイントに分離可能に結合されながら前記空気流入口の上部を閉止し、前記水槽内に流入する外気中の微細粉塵または異物の流入を遮断する遮断カバーとを含むことを特徴とする、請求項１に記載の空気流入及び水素ガス自動排出制御が可能な水素水冷温水器。
【請求項３】
前記第１制御ロッドは、
合成樹脂素材で製作され、長さ方向の所定の部分に外周面に沿って前記空気流入口の直径を超える所定の直径で一体に突設され、上下移動によって前記空気流入口に係止される係止部と、
前記係止部から所定の距離を離隔した状態で前記空気流入口を挟んで前記係止部の直径を超える所定の直径で外周面に沿って一体に設けられ、上下移動によって前記空気流入口を遮蔽する遮断部とを含むことを特徴とする、請求項２に記載の空気流入及び水素ガス自動排出制御が可能な水素水冷温水器。
【請求項４】
前記水素ガス排出部材は、
前記空気流入口と同じ形状をもって前記水槽カバーの一部分に設けられ、前記水槽内の所定の濃度を超える水素ガスを外部に排出する通路を提供するガス排出口と、
前記水槽の外部に水素ガスを排出するために前記水槽内のガス圧による上下移動によって前記ガス排出口が開閉できるように、前記第１制御ロッドと同じ形状に製作されて方向が反対の状態で前記ガス排出口を介して結合される第２制御ロッドと、
前記第１連結ジョイントと同じ形状に製作され、前記ガス流入口の上部を取り囲みながら分離可能に結合される第２連結ジョイントと、
前記第２連結ジョイントに分離可能に結合されながら前記ガス排出口の上部を閉止し、水素ガス排出の際に前記水槽内への外気中の微細粉塵または異物の流入を遮断するガスカバーとを含むことを特徴とする、請求項３に記載の空気流入及び水素ガス自動排出制御が可能な水素水冷温水器。
【請求項５】
前記遮断カバー及び前記ガスカバーは、
前記第１連結ジョイント及び前記第２連結ジョイントの上部にそれぞれ分離可能に結合され、中心部分に所定のサイズの貫通孔が設けられている栓と、
前記栓と前記第１及び第２連結ジョイントとの間に介在した状態でそれぞれ結合され、外部から流入する微細粉塵と空気を濾過するエアフィルターとを含むことを特徴とする、請求項４に記載の空気流入及び水素ガス自動排出制御が可能な水素水冷温水器。
【発明の詳細な説明】
【技術分野】
【０００１】
本発明は、水素水冷温水器の空気流入及び水素ガス自動排出制御装置に係り、さらに詳しくは、冷温水器の水槽に収容された水素水が外気によって汚染することを防止し、水素ガスの排出を円滑にするための空気流入及び水素ガス自動排出制御が可能な水素水冷温水器に関する。
【背景技術】
【０００２】
最近、急激な都市化及び産業化に伴って環境が急速に汚染しており、特に水質汚染が深刻な水準に到達して、河川水や地下水を飲用水として使用することを制限するとともに、官公庁や学校、職場、家庭、飲食店、体育施設などでは浄水された水を飲用することができるように冷温水器を普及、設置している。
【０００３】
特に、最近では、一般的なミネラルウォーター、浄水された水、炭酸飲料の他にも、炭酸水、深層水、酸素水、水素水など、渇き解消だけでなく健康への影響まで考慮した機能水に関する関心が大きく増加しており、日常的な生活運動から専門的なスポーツ分野まで、健康飲料を介して一般人だけでなく運動選手に対する病気予防、疲労回復増進、競技力向上などの効果が期待される様々な機能水製品の開発及び普及が日増しに高まっている。
【０００４】
しかし、従来の冷温水器は、冷温水器の本体に水ボトルを支持するように定着させる定着部の構造が複雑であって組立工程が難しいうえ、Ａ／Ｓの際に定着部をそれぞれ分解し、組み立てなければならないので、作業能率を低下させるとともに製品の維持管理が難しいという問題点があった。
【０００５】
また、水ボトルの内部圧力を一定に維持することができるように空気流入孔を介して外気が流入するが、前記外気を濾過させる別途の装置がないため、外気により冷水タンク内の生水を汚染させるおそれがあるので、安全に飲用することができなくて使用者の製品に対する信頼性を低下させるという問題点があった。
【先行技術文献】
【特許文献】
【０００６】
【特許文献１】韓国登録実用新案第２０−０３７２９４３号公報
【発明の概要】
【発明が解決しようとする課題】
【０００７】
本発明は、かかる従来技術の問題点を改善するためになされたもので、その目的は、冷温水器の水槽内に収容された水素水が外気によって汚染することを防止する機能が備えられた、空気流入及び水素ガス自動排出制御が可能な水素水冷温水器を提供することにある。
【０００８】
本発明の他の目的は、高濃度の水素水が満たされた水槽で発生する多量の水素ガスを水槽の外部に排出する機能が備えられた、空気流入及び水素ガス自動排出制御が可能な水素水冷温水器を提供することにある。
【課題を解決するための手段】
【０００９】
上記目的を達成するための本発明の空気流入及び水素ガス自動排出制御が可能な水素水冷温水器は、水素水が満たされた冷温水器の水槽で発生するガスを排出し或いは外部の空気を流入させるガス出入り制御装置において、前記水槽の上部を覆いながら、水槽に収容される水槽水を外部の汚染から保護する水槽カバーと、前記水槽カバーの一部分に設置され、前記水槽内の圧力を所定の圧力に維持するために前記水槽の内部に外気を流入させる空気流入部材と、前記空気流入部材に対応して製作され、前記水槽カバーの一部分に設置され、前記水槽内に所定の濃度以上の水素ガスが発生した場合に水素ガスを前記水槽の外部に排出する水素ガス排出部材とを含み、前記空気流入部材及び前記水素ガス排出部材は、前記水槽に外気を流入させるか或いは前記水槽内の水素ガスを外部に排出するために、前記水槽内の水素ガスの圧力によって開閉が制御できる。
【００１０】
また、前記空気流入部材は、前記水槽カバーの一部分に設けられ、前記水槽の内部に外気が流入する通路を提供する空気流入口と、前記水槽内への外気の流入を調節するために前記水槽内のガス圧による上下移動によって前記空気流入口の開閉を制御するように前記空気流入口を介して結合される第１制御ロッドと、前記空気流入口の上部を取り囲みながら分離可能に結合される管体状の第１連結ジョイントと、前記第１連結ジョイントに分離可能に結合されながら前記空気流入口の上部を閉止し、前記水槽内に流入する外気中の微細粉塵または異物の流入を遮断する遮断カバーとを含むことができる。
【００１１】
また、前記第１制御ロッドは、合成樹脂素材で製作され、長さ方向の所定の部分に外周面に沿って前記空気流入口の直径を超える所定の直径で一体に突設され、上下移動によって前記空気流入口に係止される係止部と、前記係止部から所定の距離を離隔した状態で前記空気流入口を挟んで前記係止部の直径を超える所定の直径で外周面に沿って一体に設けられ、上下移動によって前記空気流入口を遮蔽する遮断部とを含むことができる。
【００１２】
また、前記水素ガス排出部材は、前記空気流入口と同じ形状をもって前記水槽カバーの一部分に設けられ、前記水槽内の所定の濃度を超える水素ガスを外部に排出する通路を提供するガス排出口と、前記水槽の外部に水素ガスを排出するために前記水槽内のガス圧による上下移動によって前記ガス排出口が開閉できるように、前記第１制御ロッドと同じ形状に製作されて方向が反対の状態で前記ガス排出口を介して結合される第２制御ロッドと、前記第１連結ジョイントと同じ形状に製作され、前記ガス流入口の上部を取り囲みながら分離可能に結合される第２連結ジョイントと、前記第２連結ジョイントに分離可能に結合されながら前記ガス排出口の上部を閉止し、水素ガス排出の際に前記水槽内への外気中の微細粉塵または異物の流入を遮断するガスカバーとを含むことができる。
【００１３】
また、前記遮断カバー及び前記ガスカバーは、前記第１連結ジョイント及び前記第２連結ジョイントの上部にそれぞれ分離可能に結合され、中心部分に所定のサイズの貫通孔が設けられている栓と、前記栓と前記第１及び第２連結ジョイントとの間に介在した状態でそれぞれ結合され、外部から流入する微細粉塵と空気を濾過するエアフィルターとを含むことができる。
【発明の効果】
【００１４】
本発明の空気流入及び水素ガス自動排出制御が可能な水素水冷温水器は、空気流入部材にエアフィルターを設置することで、冷温水器の水槽内に収容された水槽水が外気によって汚染することを防止することができる。
【００１５】
また、本発明は、水素ガス排出部材の第２制御ロッドが、水素水の満たされた水槽で発生する余剰の水素ガスによる気圧によって上昇してガス排出口を開放し、所定の濃度を超える余剰の水素ガスを外部に排出することができる。
【図面の簡単な説明】
【００１６】
【図１】本発明の実施形態に係る空気流入及び水素ガス自動排出制御が可能な水素水冷温水器の分解斜視図である。
【図２】ガス出入り制御装置の分解斜視断面図である。
【図３】ガス出入り制御装置の断面図である。
【発明を実施するための形態】
【００１７】
後述する本発明についての詳細な説明は、本発明の特定の実施形態を例示として図示する添付図面を参照する。これらの実施形態は、当業者が本発明を十分に実施し得るように詳細に説明される。本発明の多様な実施形態は、互いに異なるが、相互排他的である必要はないことを理解しなければならない。例えば、ここに記載している特定の形状、構造及び特性は、実施形態と関連して、本発明の技術的思想及び範囲を逸脱することなく他の実施形態に実現できる。また、それぞれの開示された実施形態内の個別構成要素の位置又は配置は、本発明の技術的思想及び範囲を逸脱することなく変更可能であることを理解しなければならない。従って、後述する詳細な説明は、限定的な意味を有するものではなく、本発明の範囲は、それらの請求の範囲が主張するものと均等な全ての範囲と共に、添付された請求の範囲によってのみ限定される。図面において類似する参照符号は、多くの側面にわたって同一又は類似する機能を示す。
【００１８】
以下、本発明の属する技術分野における通常の知識を有する者が本発明を容易に実施できるようにするために、本発明の好適な実施形態について添付図面を参照して詳細に説明する。
【００１９】
図１は本発明の実施形態に係る空気流入及び水素ガス自動排出制御が可能な水素水冷温水器の分解斜視図、図２はガス出入り制御装置の分解斜視断面図、図３はガス出入り制御装置の断面図である。
【００２０】
図１〜図３に示すように、水素水が満たされた冷温水器の水槽で発生するガスを排出し或いは外部の空気を流入させるガス出入り制御装置において、本発明は、水槽カバー１００、空気流入部材２００及び水素ガス排出部材３００を含むことができる。
【００２１】
前記水槽カバー１００は、水槽の上部を覆いながら、水槽に収容される水槽水を外部の汚染から保護することができる。
【００２２】
前記空気流入部材２００は、水槽カバー１００の一部分に設置され、水槽内部の圧力を所定の圧力に維持するために水槽の内部に外気を流入させることができる。
【００２３】
空気流入部材２００は、空気流入口２１０、第１制御ロッド２２０、第１連結ジョイント２４０及び遮断カバー２３０を含むことができる。
【００２４】
前記空気流入口２１０は、水槽カバー１００の一部分に設けられ、水槽７０の内部に外気が流入する通路を提供することができる。
【００２５】
前記第１制御ロッド２２０は、水槽７０内への外気の流入を調節するために、水槽７０内のガス圧による上下移動によって空気流入口２１０の開閉を制御するように空気流入口２１０を介して結合できる。
【００２６】
第１制御ロッド２２０は係止部２２２と遮断部２２４を含むことができる。
【００２７】
前記係止部２２２は、合成樹脂素材で製作され、長さ方向の所定の部分に外周面に沿って空気流入口２１０の直径を超える所定の直径で一体に突設され、上下移動によって空気流入口２１０に係止できる。
【００２８】
前記遮断部２２４は、係止部２２２から所定の距離を離隔して空気流入口２１０を挟んで係止部２２２の直径を超える所定の直径で外周面に沿って一体に設けられ、上下移動によって空気流入口を遮蔽することができる。
【００２９】
前記第１連結ジョイント２４０は、管体状に製作され、空気流入口２１０の上部を取り囲みながら分離可能に結合される構造でありうる。
【００３０】
前記遮断カバー２３０は、第１連結ジョイント２４０に分離可能に結合されながら空気流入口２１０の上部を閉止し、水槽７０内に流入する外気中の微細粉塵や異物の流入を遮断することができる。
【００３１】
前記水素ガス排出部材３００は、空気流入部材２００に対応して製作され、水槽カバー１００の一部分に設置され、水槽内に所定の濃度以上の水素ガスが発生した場合に水素ガスを水槽の外部に排出することができる。
【００３２】
水素ガス排出部材３００は、ガス排出口３１０、第２制御ロッド３２０、第２連結ジョイント３４０及びガスカバー３３０を含むことができる。
【００３３】
前記ガス排出口３１０は、空気流入口２１０と同じ形状に水槽カバー１００の一部分に形成され、水槽７０内の所定の濃度を超える水素ガスを外部に排出する通路を提供することができる。
【００３４】
前記第２制御ロッド３２０は、水槽７０の外部に水素ガスを排出するために、水槽７０内のガス圧による上下移動によってガス排出口３１０が開閉できるように、第１制御ロッド２２０と同じ形状に製作されて方向が反対の状態でガス排出口３１０を介して結合できる。
【００３５】
前記第２連結ジョイント３４０は、第１連結ジョイント２４０と同じ形状に製作され、ガス排出口３１０の上部を取り囲みながら分離可能に結合できる。
【００３６】
前記ガスカバー３３０は、第２連結ジョイント３４０に分離可能に結合されながらガス排出口３１０の上部を閉止し、水素ガス排出の際に水槽７０内への外気中の微細粉塵や異物の流入を遮断することができる。
【００３７】
空気流入部材２００及び水素ガス排出部材３００は、水槽に外気を流入させるか或いは水槽内の水素ガスを外部に排出するために、水槽内の水素ガスの圧力によって開閉が制御できる。
【００３８】
遮断カバー２３０とガスカバー３３０は栓２３２及びエアフィルター２３４を含むことができる。
【００３９】
前記栓２３２は、第１連結ジョイント２４０及び第２連結ジョイント３２０の上部にそれぞれ分離可能に結合され、中心部分に所定のサイズの貫通孔が設けられている構造でありうる。
【００４０】
前記エアフィルター２３４は、栓と前記第１及び第２連結ジョイントとの間に介在した状態でそれぞれ結合され、外部から流入する微細粉塵と空気を濾過することができる。
【００４１】
エアフィルター２３４は、水槽の内部に微細粉塵や異物が流入することを防ぐために、所定のサイズのホールを備えて外気を濾過する不織布３０、及び第１、第２連結ジョイント２４０、３４０と不織布３０との間に介在し、不織布３０を第１、第２連結ジョイント２４０、３４０に固定させるメンブレイン５０からなる構造であってもよい。
【００４２】
第１、第２連結ジョイント２４０、３４０と空気流入口２１０、ガス排出口３１０とキャップ２３２との結合方式を螺合方式とすることができるため、分離結合が便利であり、栓２３２の分離が容易であって便利にエアフィルター２３４の交換が可能である。
【００４３】
本発明に係る冷温水器のガス出入り制御装置は、水槽７０の内部に水素ガスが満ちてガス圧が所定の圧力よりも上昇する場合、前記ガス圧が第１制御ロッド２２０及び第２制御ロッド３２０の遮断部２２４を自然に押し上げ、空気流入口２１０は遮断して外気の流入を防止し、ガス排出口３１０は開放させて水槽７０内の所定の濃度以上の水素ガスを自然に外部へ排出することができる。この際、エアフィルター２３４は、外部から流入する空気を濾過することにより、水槽７０内の水槽水の汚染を防止することができる。
【００４４】
水槽７０内のガス圧が所定の圧力よりも低い場合には、前述した説明とは逆に、第１、第２制御ロッド２２０、３２０が作動して空気流入口２１０を開放して外気を流入させ、ガス排出口３１０は閉鎖してガスの外部流出を防止することで、水槽７０内の圧力を所定の圧力に維持させ、常に所定の濃度の水素が水槽水に溶けるように維持させることができる。この際、エアフィルター２３４は前述のように外気を濾過する機能を行う。
【００４５】
以上、本発明を好適な実施形態に基づいて説明したが、本発明の技術的思想はこれに限定されるものではない。請求の範囲に記載された範囲内で変形や変更実施が可能であることは本発明の属する技術分野における通常の知識を有する者に明らかであり、それらの変形や変更も添付された特許請求の範囲に属するといえる。
【符号の説明】
【００４６】
１０    ガス出入り制御装置
３０    不織布
５０    メンブレイン
７０    水槽
１００    水槽カバー
２００    空気流入部材
２１０    空気流入口
２２０    第１制御ロッド
２２２    係止部
２２４    遮断部
２３０    遮断カバー
２３２    栓
２３４    エアフィルター
２４０    第１連結ジョイント
３００    水素ガス排出部材
３１０    ガス排出口
３２０    第２制御ロッド
３３０    ガスカバー
３４０    第２連結ジョイント
【図１】
2020500785.tif 000003
【図２】
2020500785.tif 000004
【図３】
2020500785.tif 000005
【国際調査報告】
2020500785.tif 000006
2020500785.tif 000007
2020500785.tif 000008
2020500785.tif 000009